(57)【要約】【課題】内部空間の温度上昇を抑制すること。【解決手段】実施形態に係る照明装置は、筐体１００と、電源ボックス２００と、接続部材３００とを具備する。筐体１００は、光源１１１と、光源１１１から発生する熱を放散する放熱器１２０とを収納する。電源ボックス２００は、筐体１００と離間して設けられ、光源１１１に電力を供給する電源部２１０を収納する。接続部材３００は、筐体１００の内部と電源ボックス２００の内部とを空間的に接続する。【選択図】図１
2016110934.tif 000002
【特許請求の範囲】
【請求項１】
光源と、前記光源から発生する熱を放散する放熱器とを収納する第１筐体と；
前記第１筐体と離間して設けられ、前記光源に電力を供給する電源部を収納する第２筐体と；
前記第１筐体の内部と前記第２筐体の内部とを空間的に接続する接続部材と；
を具備することを特徴とする照明装置。
【請求項２】
前記放熱器は、
前記第１筐体において前記光源の照射方向と反対側に設置され、
前記第２筐体は、
前記光源の照射方向と交わる方向に前記第１筐体と離間して設けられ、
前記接続部材は、
前記光源の照射方向と反対側の方向に位置する前記第１筐体の端部と、前記第２筐体とに接続される
ことを特徴とする請求項１に記載の照明装置。
【請求項３】
前記接続部材は、
内部が通気可能に形成され、前記第２筐体と対向する前記第１筐体の第１面と、前記第１筐体と対向する前記第２筐体の第２面とに対して傾斜して接続される
ことを特徴とする請求項１又は２に記載の照明装置。
【請求項４】
前記接続部材は、
前記第１筐体と前記第２筐体とを離間した状態で支持する
ことを特徴とする請求項１〜３のいずれか一つに記載の照明装置。
【請求項５】
前記光源はＬＥＤ（Light  Emitting  Diode）を備えることを特徴とする請求項１〜４のいずれか一つに記載の照明装置。
【発明の詳細な説明】
【技術分野】
【０００１】
本発明は、照明装置に関する。
【背景技術】
【０００２】
近年、電流を流すと発光する半導体素子の一種であるＬＥＤ（Light  Emitting  Diode）を用いた照明装置が普及している。ＬＥＤを用いた照明装置はハロゲンランプなどを用いたものよりも発熱が少ないというメリットがあるが、発熱量が増加すると光量の低下などが寿命に悪影響を与えることが知られている。例えば、ＬＥＤを用いた照明装置の一例である舞台やスタジオ向けのスポットライトは、光源の高出力化が進んでいるため発熱量が増加しており、筐体の内部空間が高温化することになる。このため、このような照明装置は、内部空間の適切な放熱対策によりＬＥＤへの悪影響を防止することが望まれている。
【先行技術文献】
【特許文献】
【０００３】
【特許文献１】特開２０１３−１６１６２３公報
【発明の概要】
【発明が解決しようとする課題】
【０００４】
本発明が解決しようとする課題は、内部空間の温度上昇を抑制することができる照明装置を提供することである。
【課題を解決するための手段】
【０００５】
実施形態に係る照明装置は、第１筐体と、第２筐体と、接続部材とを具備する。第１筐体は、光源と、光源から発生する熱を放散する放熱器とを収納する。第２筐体は、第１筐体と離間して設けられ、光源に電力を供給する電源部を収納する。接続部材は、第１筐体の内部と第２筐体の内部とを空間的に接続する。
【発明の効果】
【０００６】
実施形態の照明装置によれば、内部空間の温度上昇を抑制することができるという効果が期待できる。
【図面の簡単な説明】
【０００７】
【図１】図１は、実施形態に係る照明装置の一例を示す斜視図である。
【図２】図２は、実施形態に係る照明装置の一例を示す斜視図である。
【図３】図３は、実施形態に係る照明装置の内部の一例を示す斜視図である。
【図４】図４は、実施形態に係る照明装置の断面図である。
【図５】図５は、実施形態に係る照明装置の内部の空気の流れを説明するための説明図である。
【図６】図６は、実施形態に係る照明装置の内部の空気の流れを説明するための説明図である。
【発明を実施するための形態】
【０００８】
以下で説明する実施形態に係る照明装置１は、筐体１００と、電源ボックス２００と、接続部材３００とを具備する。筐体１００は、ＬＥＤを備えた光源１１１と、光源１１１から発生する熱を放散する放熱器１２０とを収納する。電源ボックス２００は、筐体１００と離間して設けられ、光源１１１に電力を供給する電源部２１０を収納する。接続部材３００は、筐体１００の内部と電源ボックス２００の内部とを空間的に接続する。
【０００９】
また、以下で説明する実施形態に係る照明装置１において、放熱器１２０は、筐体１００において光源１１１の照射方向と反対側に設置され、電源ボックス２００は、光源１１１の照射方向と交わる方向に筐体１００と離間して設けられ、接続部材３００は、光源１１１の照射方向と反対側の方向に位置する筐体１００の端部と、電源ボックス２００とに接続されてもよい。
【００１０】
また、以下で説明する実施形態に係る照明装置１において、接続部材３００は、内部が通気可能に形成され、電源ボックス２００と対向する筐体１００の面１００ａと、筐体１００と対向する電源ボックス２００の面２００ｂとに対して傾斜して接続されてもよい。
【００１１】
また、以下で説明する実施形態に係る照明装置１において、接続部材３００は、筐体１００と電源ボックス２００とを離間した状態で支持してもよい。
【００１２】
また、以下で説明する実施形態に係る照明装置１において、光源１１１はＬＥＤを備えてもよい。
【００１３】
以下、図面を参照して、実施形態に係る照明装置を説明する。なお、実施形態において同一の機能を有する構成には同一の符号を付し、重複する説明は省略する。また、以下の実施形態で説明する照明装置は、一例を示すに過ぎず、本発明を限定するものではない。また、以下の実施形態は、矛盾しない範囲内で適宜組みあわせても良い。
【００１４】
以下、実施形態の照明装置１について、図１〜図６を参照して説明する。
【００１５】
図１及び図２は、実施形態に係る照明装置の一例を示す斜視図である。具体的には、図１は、照明装置１の正面側の斜視図である。図２は、照明装置１の背面側の斜視図である。図３は、照明装置１の内部の斜視図である。図１及び図２に示すように、照明装置１は、筐体１００（第１筐体に相当）と、電源ボックス２００（第２筐体に相当）と、電源コード２３０と、プラグ２５０と、接続部材３００と、複数の固定部材３５０と、支持部材４００と、蓋４２０とを具備する。
【００１６】
筐体１００は、各種の部品や要素を収納する。また、筐体１００は、所定の耐久性を満たすため、内部がある程度密閉される。図１及び図２の例では、筐体１００は、内部空間の熱を放熱するため、所定の耐久性を失わない程度の大きさや数の通気孔１０１が設けられる。
【００１７】
図３を用いて、筐体１００の内部の構成について説明する。図３に示すように、筐体１００は、光源１１１が光を照射する照射方向であるＸ方向と反対方向の端部に放熱器１２０を収納するとともに、光源１１１と熱的に接続している。さらに筐体１００には、光源１１１の照射方向にそれぞれリフレクター１１２とレンズ１１３が収納される。
【００１８】
光源１１１は、ＬＥＤを備える。例えば、光源１１０は、チップオンボード（ＣＯＢ）型のＬＥＤモジュールである。一例としては、ＣＯＢモジュールには、基板上に電流が流れることで光を照射する青色ＬＥＤや赤色ＬＥＤなどの発光素子が複数配置される。
【００１９】
リフレクター１１２は、光源１１１が照射する光の方向を制御する。例えば、リフレクター１１２は、図３に示すように、光源１１１の周囲を取り囲むように取り付けられる。
【００２０】
レンズ１１３は、光源１１１が照射する光を収束または発散させる。例えば、レンズ１１３には、のこぎり状の断面を有するフレネルレンズが用いられる。
【００２１】
放熱器１２０は、光源１１１から発生する熱を放散する。これにより、放熱器１２０は、筐体１００の内部空間の温度上昇を抑制する。また、放熱器１２０は、筐体１００において光源１１１の照射方向と反対側に設置される。図３に示すように、放熱器１２０は、ベース１２１と、複数のフィン１２２と、複数のパイプ１２３とによって形成される。
【００２２】
ベース１２１は、複数のフィン１２２と、複数のパイプ１２３とが取り付けられる。複数のフィン１２２は、例えば、複数の平板を平行に並べて形成されるもので、アルミニウムや銅などの熱伝導特性に優れた金属材料によって形成される。
【００２３】
複数のパイプ１２３は、複数のフィン１２２を貫通するように取り付けられる。これにより、複数のパイプ１２３は、ベース１２１側の熱を複数のフィン１２２のうちベース１２１と反対側に伝導することができるため、フィン１２２による放熱特性を有効利用することができる。
【００２４】
なお、放熱器１２０の近傍には、空気の移動量を増やすことで熱の放散能力を高めるために、ファンなどが取り付けられてもよい。
【００２５】
電源ボックス２００は、筐体１００と離間して設けられる。具体的には、電源ボックス２００は、光源１１１が光を照射する照射方向であるＸ方向と交わる方向に筐体１００と離間して設けられる。図１〜図３の例では、電源ボックス２００は、筐体１００と平行になるように設けられている。
【００２６】
また、電源ボックス２００は、図１に示す例に限らず、端部が筐体１００の端部よりＸ方向と反対方向の外側に位置してもよい。
【００２７】
また、電源ボックス２００は、図３に示すように、電源部２１０を収納する。電源部２１０は、光源１１１に電力を供給する。例えば、電源部２１０は、電気の流れを制御する回路基板などによって形成される。この電源部２１０に塵埃等による悪影響が及ばない程度に、電源ボックス２００に通気孔を設けてもよい。
【００２８】
また、電源部２１０は、電源コード２３０を介して、プラグ２５０と接続される。これにより、電源部２１０は、プラグ２５０が電源コンセント等に差し込まれた場合に、光源１１１に電気を供給することが可能となる。なお、電源部２１０は、光源１１１に限らず、その他の図示しない各種の装置に対して給電してもよい。
【００２９】
例えば、電源部２１０は、光源１１１に電気を供給する際に、回路基板から熱を発する。このため、電源ボックス２００は、光源１１１に電気を供給すると内部の温度が上昇する。そこで、照明装置１には、電源ボックス２００の内部空間の温度上昇を抑制するために、接続部材３００が設けられる。
【００３０】
接続部材３００は、内部に空間を有し通気可能に形成される。また、接続部材３００は、筐体１００の内部と電源ボックス２００の内部とを空間的に接続する。具体的には、接続部材３００は、光源１１１の照射方向と反対側の方向に位置する筐体１００の端部と、電源ボックス２００とに接続される。
【００３１】
図４は、実施形態に係る照明装置の断面図である。接続部材３００の内部には、中空の矩形空間が形成される。また、接続部材３００は、電源ボックス２００と対向する筐体１００の面１００ａ（第１面に相当）と、筐体１００と対向する電源ボックス２００の面２００ｂ（第２面に相当）とに対して傾斜して面１００ａと面２００ｂとに接続される。
【００３２】
例えば、図４の例のように電源ボックス２００の端部が筐体１００の端部よりＸ方向に位置する場合には、接続部材３００は、これら端部を接続することにより左下下がりに約４５度の傾斜に設定される。
【００３３】
同様に電源ボックス２００の端部が筐体１００の端部よりＸ方向と反対方向に位置する場合には、接続部材３００はこれら端部を接続することにより右下下がりに約４５度の傾斜に設定される。
【００３４】
複数の固定部材３５０は、筐体１００と、電源ボックス２００とが離間した状態を保持する。
【００３５】
支持部材４００は、ボルト４１０によって回動可能に筐体１００に取り付けられる。支持部材４００は、天井などに取り付けられることで、光源１１１の照射を任意の方向に向けることが可能となる。蓋４２０はバンドアと呼ばれるもので、光源１１１の照射を所定の範囲以上に拡がらないように調節する。
【００３６】
このように、接続部材３００を介して筐体１００と電源ボックス２００とが空間的に接続されるとともに、その内部空間が接続される。そして接続部材３００の内部が空気の流れを許容するため、電源ボックス２００の内部空間の温度上昇を抑制することができる。この点について、図５及び図６を用いて説明する。
【００３７】
図５及び図６は、実施形態に係る照明装置１の内部の空気の流れを示す説明図である。具体的には、図５は、光源１１１が光を照射するＸ方向が重力方向であるＹ方向の反対向きになるように照明装置１を設置した図である。一方、図６は、光源１１１が光を照射するＸ方向と重力方向が同じ向きになるように照明装置１を設置した図である。
【００３８】
図５の例では、電源ボックス２００の内部に、接続部材３００を介して外気が流入する状態を示している。今、電源ボックス２００内の電源部２１０が発熱すると、電源ボックス２００内の空気が全体的に上昇する。一方、電源ボックス２００と空間を共有する接続部材３００の内部空気はほぼ室温のままである。したがって、電源ボックス２００内の空気を接続部材３００内の空気との温度差に容易に関連づけることができることから、温度勾配に基づく空気の流れが容易に生じる。電源ボックス２００の周囲には塵埃等の影響を受けない程度の孔や隙間が存在するため、これらを流出口とした、温度勾配に基づく空気の流れがＸ方向に向かって生じる。このように、接続部材３００を設け内部空間を共有することで、電源ボックス２００の大きさや内部温度にかかわらず、電源ボックス２００に内部空気の流れを容易に発生させることができる。そして、電源ボックス２００内からＸ方向に向かって流出してゆく高温の空気を補填するべく、電源ボックス２００の下方から接続部材３００を介して室温の空気が連続的に流入することになる。具体的には、まず、図５に示すように、外気は、矢印Ｓｉ１のように流入する。続いて、外気は、矢印Ｓｉ２のように接続部材３００の内部を進む。そして、矢印Ｓｉ３のように接続部材３００から電源ボックス２００の内部に外気が流入し、電源ボックス２００の内部をＹ方向からＸ方向へ進む。このような空気の流れは、電源ボックス２００内の電源部２１０が発熱し電源ボックス２００内の温度が上昇することにより発生する。このように、接続部材３００を設けたことにより、電源ボックス２００は、その内部に外気を積極的に流入することができるので、電源ボックス２００の内部空間の温度上昇を抑制することができる。
【００３９】
一方、図６の例では、電源ボックス２００の内部から、接続部材３００を介して、回路基板から発生した熱が流出する状態を示している。今、電源ボックス２００内の電源部２１０が発熱すると、電源ボックス２００内の空気が全体的に上昇する。一方、電源ボックス２００と空間を共有する接続部材３００の内部空気はほぼ室温のままである。したがって、電源ボックス２００内の空気を接続部材３００内の空気との温度差に容易に関連づけることができることから、温度勾配に基づく空気の流れが容易に生じる。電源ボックス２００の周囲には塵埃等の影響を受けない程度の孔や隙間が存在するため、これらを流入口とした、温度勾配に基づく空気の流れがＹ方向に生じる。このように、接続部材３００を設け内部空間を共有することで、電源ボックス２００の大きさや内部温度にかかわらず、電源ボックス２００に内部空気の流れを容易に発生させることができる。そして、電源ボックス２００内からＹ方向に向かって連続的に流出してゆく空気を補填するべく、電源ボックス２００に設けられた図示しない孔や隙間から空気が流入することになる。具体的には、まず、図６に示すように、電源部２１０から発生した熱による熱気が矢印Ｓｉ４のように電源ボックス２００から接続部材３００へ流出する。続いて、熱気は、矢印Ｓｉ５のように接続部材３００の内部を進む。そして、矢印Ｓｉ６のように熱気を接続部材３００の外部に放出する。空気を排出するための流路となる接続部材３００を設けたことにより、電源ボックス２００は、その内部に外気を積極的に流入することができるので、電源ボックス２００の内部空間の温度上昇を抑制することができる。
【００４０】
同様に、照明装置１は、光を照射する照射方向と重力方向Ｙとが非平行となる向き（例えば、交わる向き）に設置された場合も、電源ボックス２００の内部空間の温度上昇を抑制することができる。例えば、照明装置１は、電源ボックス２００が重力方向の下側に位置し、筐体１００が重力方向の上側に位置する場合には、図６と同様の空気の流れが発生し、電源ボックス２００の内部空間の温度上昇を抑制することができる。これは、接続部材３００の一端と他端が重力方向において異なる高さとなるように傾斜して接続されることで、電源ボックス２００内の空気に温度勾配による流れを生じさせることができるためである。一方、照明装置１は、筐体１００が重力方向の下側に位置し、電源ボックス２００が重力方向の上側に位置する場合には、図５と同様の原理で空気の流れが発生し、電源ボックス２００の内部空間の温度上昇を抑制することができる。
【００４１】
このように、照明装置１は、舞台やスタジオなどでいかなる姿勢で、電源ボックス２００の内部空間の温度上昇を抑制することができる。そして、照明装置１が高出力の装置である場合でも内部空間の温度上昇を効果的に抑制することができるので、電源ボックス２００の内部の温度を定格基準値内に収めることができる。
【００４２】
また、照明装置１は、電源ボックス２００自体に多数の孔を設けるなどの放熱対策と比較して、電源ボックス２００の構造的な強度や耐久性を容易に維持することができる。そして、孔を設けることによる塵埃の影響や、舞台演出に用いられる紙吹雪などがトラップされることによる故障のリスクを軽減することができる。
【００４３】
また、接続部材３００は、筐体１００と電源ボックス２００とを離間した状態で支持する。例えば、接続部材３００は、図１に示すように、複数の固定部材３５０とともに、筐体１００と電源ボックス２００との間隔が維持されるよう固定している。これにより、照明装置１は、筐体１００と電源ボックス２００とをそれぞれの中間付近にて固定部材３５０のみで支持する場合と比較して、より強固に筐体１００と電源ボックス２００とを支持することができる。また、接続部材３００が筐体１００の端部に接続されていることから、筐体１００側に生じる熱の影響が接続部材３００に及びにくくなり、電源ボックス２００側の放熱効果をより安定させることができる。
【００４４】
以上説明したとおり、上記実施形態によれば内部空間の温度上昇を抑制することができる。
【００４５】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１    照明装置
１００  筐体
１１１  光源
１２０  放熱器
２００  電源ボックス
２１０  電源部
３００  接続部材
【図１】
2016110934.tif 000003
【図２】
2016110934.tif 000004
【図３】
2016110934.tif 000005
【図４】
2016110934.tif 000006
【図５】
2016110934.tif 000007
【図６】
2016110934.tif 000008